(57)【要約】【課題】化粧目地の不揃いを解消し、外観意匠性に優れた建物を提供することを目的とする。【解決手段】複数種の外壁パネル７，９，１１，１３，１５，１９によって形成された外壁５を備えた規格化建物１であって、構造柱３を割り付ける際に利用され、且つ外壁５を形成する際の基準となる通り芯Ｌから外壁面５ａまでの出寸法が一定の値Ｄとなるように制定され、外壁パネル７，９，１１，１３，１５，１９の表面には、連設される他の外壁パネル７，９，１１，１３，１５，１９との間に生じる目地２０に対応した化粧目地２１が所定のピッチＷで形成され、ピッチＷは、出寸法Ｄの整数分の１となるように規定されていることを特徴とする。【選択図】図４
2012225016.tif 000002
【特許請求の範囲】
【請求項１】
複数種の外壁パネルによって形成された外壁を備えた規格化建物であって、
柱を割り付ける際に利用され、且つ外壁を形成する際の基準となる通り芯から外壁面までの出寸法が一定の値Ｄとなるように制定され、
前記外壁パネルの表面には、連設される他の前記外壁パネルとの間に生じる目地に対応した化粧目地が所定のピッチＷで形成され、
前記ピッチＷは、前記出寸法Ｄの整数分の１となるように規定されていることを特徴とする規格化建物。
【請求項２】
前記外壁パネルは、矩形平板状で、且つ前記出寸法Ｄの整数倍の幅を有する一般外壁パネルと、断面Ｌ字状で、且つ屈曲して接続された二面それぞれの幅寸法が前記出寸法Ｄに等しい出隅用外壁パネルとを有し、
前記出隅用外壁パネルは、出隅部に割り付けられると共に、前記一般外壁パネルに連設され、
前記出隅用外壁パネルと前記一般外壁パネルとは化粧目地のピッチＷが均一に揃って連続することを特徴とする請求項１記載の規格化建物。
【請求項３】
前記外壁パネルは、前記一般外壁パネルと、前記一般外壁パネルから前記出寸法Ｄ分の幅を詰めた入隅用外壁パネルと、を更に有し、
入隅部では、前記入隅用外壁パネルの端部が前記外壁パネルの表面に当接されると共に、前記入隅用外壁パネルの表面側の端縁は、前記一般外壁パネルの前記化粧目地に沿って配置されることを特徴とする請求項２記載の規格化建物。
【請求項４】
前記外壁は、前記出寸法Ｄの整数倍の幅を有する開口パネルを更に備えて形成され、
前記外壁パネルは、前記出寸法Ｄの整数倍の幅を有し、且つ前記開口パネルの上縁、及び下縁の少なくとも一方に沿って配置される短尺パネルを更に有することを特徴とする請求項１〜３のいずれか一項記載の規格化建物。
【請求項５】
複数の階層を備え、且つ、各階の外壁面構造が複数の前記外壁パネルの連設によって形成され、
下階の前記外壁面構造の前記目地、及び前記化粧目地によって形成される目地配置と、上階の前記外壁面構造の前記目地、及び前記化粧目地によって形成される目地配置とが連続していることを特徴とする請求項１〜４のいずれか一項記載の規格化建物。
【発明の詳細な説明】
【技術分野】
【０００１】
本発明は、規格化（標準化）された複数の部材の組み合わせにより構築される工業化住宅などの規格化建物に関する。
【背景技術】
【０００２】
従来より、工業化住宅などの規格化建物の外壁面を構成する外壁パネルや開口パネルは、基準単位寸法である所定の平面モジュールに基づいて規格化、つまり、幅寸法が決定されるのが一般的である（特許文献１を参照）。また、この種の建物の出隅部には、断面Ｌ字状で、且つ外壁の出寸法（通り芯から外壁面までの寸法）に対応した２方向の幅寸法を有する出隅用外壁パネルを設置することも一般的である（特許文献２を参照）。また、矩形の外壁パネルの横幅寸法を整数分の１に分割すべく、縦長の複数の化粧目地が矩形の外壁パネルの表面に形成される場合がある（特許文献３を参照）。
【０００３】
隣り合う外壁パネル同士が連設された際には、外壁パネルの側端面同士が接する部分に目地が形成され、化粧目地は、この実際の目地と同一の断面形状となるようにデザインされる。その結果、目地及び化粧目地の形状が統一され、また、一定の間隔で外壁面に配列されることになるので、意匠性に優れた建物外観とすることができる。
【先行技術文献】
【特許文献】
【０００４】
【特許文献１】特開平８−２３２４２８号公報
【特許文献２】特開２００３−２５３８５０号公報
【特許文献３】特開２００８−１２１３２９号公報
【発明の概要】
【発明が解決しようとする課題】
【０００５】
しかしながら、外壁の出寸法は、所望の構造性能、防耐火性能、断熱性能を得るために決定された柱、外壁パネル、断熱材等の寸法に基づいて設定され、化粧目地の間隔とは無関係に設定されるのが一般的であった。
【０００６】
従って、建物の出隅部では、例えば、出隅用外壁パネルと一般部の外壁パネルとの連設部位において、実際の目地から化粧目地までの間隔が、他の化粧目地同士の間隔（ピッチ）に比べて狭くなり、部分的に不揃いとなり易い。また、入隅部を形成したり、独立柱に出隅用外壁パネルを４本巻いて納めたりする場合にも不揃いが生じ易い。例えば、入隅部を形成する場合、外壁の出寸法分だけ幅を詰めた入隅用外壁パネルと一般部の外壁パネルとを連設するが、入隅用外壁パネルと一般部の外壁パネルとの連設部位において、実際の目地から化粧目地までの間隔が、他の化粧目地同士の間隔（ピッチ）に比べて狭くなり、部分的に不揃いとなり易い。また、独立柱に出隅用外壁パネルを４本巻いて納める場合には、出隅用外壁パネルの側面に形成された化粧目地と上下階の一般部の外壁パネルの化粧目地とが部分的にズレ、不揃いとなり易い。このような化粧目地の不揃いは、建物の外観の意匠性を低下させてしまう。
【０００７】
本発明は、化粧目地の不揃いを解消し、外観意匠性に優れた建物を提供することを目的とする。
【課題を解決するための手段】
【０００８】
本発明は、複数種の外壁パネルによって形成された外壁を備えた規格化建物であって、柱を割り付ける際に利用され、且つ外壁を形成する際の基準となる通り芯から外壁面までの出寸法が一定の値Ｄとなるように制定され、外壁パネルの表面には、連設される他の外壁パネルとの間に生じる目地に対応した化粧目地が所定のピッチＷで形成され、ピッチＷは、出寸法Ｄの整数分の１となるように規定されていることを特徴とする。なお、この整数とは正の整数を意味する。
【０００９】
従来の外壁では、化粧目地のピッチと出寸法との相関関係などは規定されていなかったため、出隅部や入隅部において、化粧目地が不揃いになり易かった。しかしながら、本発明では、外壁パネルの化粧目地のピッチＷが出寸法Ｄの整数分の１となるように規定されているため、出隅部や入隅部において出寸法Ｄに対応させるように外壁パネルを連設した場合にも、化粧目地のピッチＷが均一に整い、不揃いが生じ難い。その結果として、本発明によれば、化粧目地の不揃いを解消でき、外観意匠性に優れた建物とすることができる。
【００１０】
さらに、外壁パネルは、矩形平板状で、且つ出寸法Ｄの整数倍の幅を有する一般外壁パネルと、断面Ｌ字状で、且つ屈曲して接続された二面それぞれの幅寸法が出寸法Ｄに等しい出隅用外壁パネルとを有し、出隅用外壁パネルは、出隅部に割り付けられると共に、一般外壁パネルに連設され、出隅用外壁パネルと一般外壁パネルとは化粧目地のピッチＷが均一に揃って連続すると好適である。この構成によれば、出隅用外壁パネルを出隅部に割り付けて一般外壁パネルに連設した場合にも、出隅用外壁パネルと一般外壁パネルとの間で化粧目地の不揃いは無くなり、外観意匠性に優れた建物とすることができる。
【００１１】
さらに、外壁パネルは、一般外壁パネルと、一般外壁パネルから出寸法Ｄ分の幅を詰めた入隅用外壁パネルと、を有し、入隅部では、入隅用外壁パネルの端部が外壁パネルの表面に当接されると共に、入隅用外壁パネルの表面側の端縁は、一般外壁パネルの化粧目地に沿って配置されると好適である。この構成によれば、入隅用外壁パネルと一般外壁パネルとを連接して入隅部を形成する場合にも、入隅用外壁パネルと一般外壁パネルとの間で化粧目地の不揃いは無くなり、外観意匠性に優れた建物とすることができる。
【００１２】
さらに、外壁は、出寸法Ｄの整数倍の幅を有する開口パネルを備えて形成され、また、外壁パネルは、出寸法Ｄの整数倍の幅を有し、且つ開口パネルの上縁、及び下縁の少なくとも一方に沿って配置される短尺パネルを更に有すると好適である。この構成によれば、例えば、サッシなどを取り付ける場合に用いる開口パネルの上縁、及び下縁に沿って配置される短尺パネルにおいても化粧目地の不揃いは無くなり、外観意匠性に優れた建物とすることができる。
【００１３】
さらに、複数の階層を備え、且つ、各階の外壁面構造が複数の外壁パネルの連設によって形成され、下階の外壁面構造の目地、及び化粧目地によって形成される目地配置と、上階の外壁面構造の目地、及び化粧目地によって形成される目地配置とが連続していると好適である。この構成によれば、複数の階層を備えた規格化建物であっても、下階の外壁面構造と上階の外壁面構造との間で目地配置のズレが生じることはなく、従って、外観意匠性に優れた建物とすることができる。
【発明の効果】
【００１４】
本発明によれば、化粧目地の不揃いを解消し、外観意匠性に優れた建物とすることができる。
【図面の簡単な説明】
【００１５】
【図１】本発明の実施形態に係る規格化建物の斜視図である。
【図２】本実施形態に係る規格化建物の１階部分を示す平面図である。
【図３】本実施形態に係る規格化建物の２階部分を示す平面図である。
【図４】本実施形態に係る規格化建物の出隅部を示す拡大斜視図である。
【図５】図４のＶ−Ｖ線に沿った断面図である。
【図６】図４のＶＩ−ＶＩ線に沿った断面図である。
【図７】本実施形態に係る規格化建物の１階部分の入隅部を拡大して示す平断面図である。
【図８】本実施形態に係る規格化建物の２階部分の入隅部を拡大して示す平断面図である。
【図９】入隅部の第１の変形例について示す平断面図である。
【図１０】入隅部の第２の変形例について示す平断面図である。
【図１１】入隅部の第３の変形例について示す平断面図である。
【図１２】出入口部の変形例について示す平断面図である。
【発明を実施するための形態】
【００１６】
以下、本発明の好適な実施形態について図面を参照しながら説明する。
【００１７】
本実施形態に係る建物は、３０５ｍｍの平面モジュールＭを有する２階建て（複数の階層）の工業化住宅（規格化建物）１である。なお、本実施形態では、規格化建物の一例として工業化住宅１を説明するが、本来、規格化建物とは、規格化（標準化）された複数の部材の組み合わせにより構築される建物を広く含む。また、平面モジュールＭとは、建築において設計上の基準となる基本寸法を意味し、建物の各部分を一定の大きさの倍数で統一するときの基準となる大きさを意味する。
【００１８】
工業化住宅１を建築する際には、敷地の形状や所望の間取りに合わせて縦、横の通り芯Ｌが設定される。通り芯Ｌとは、構造柱３や構造柱３間に架け渡される梁の配置の基準線であり、構造柱３を割り付ける際などに利用され、例えば、縦、横の通り芯Ｌの交点に構造柱３が設置される。また、通り芯Ｌは、外壁５を形成する際の基準になり、外壁５の出寸法Ｄ、すなわち、外通りの通り芯Ｌから外壁面５ａまでの距離が所定の値となるように設定される。本実施形態に係る外壁５の出寸法Ｄは、平面モジュールＭの整数分の１、具体的には、２分の１に設定されている。
【００１９】
外壁５は、複数種の外壁パネル７，９，１１，１３，１５、及び開口パネル１９を割り付けることで構築される。なお、以下の説明において、ベランダ腰壁用壁パネル１３も外壁パネルに含めて説明する。
【００２０】
外壁パネル７，９，１１，１３，１５は、切断などによって所定の形状に加工された軽量気泡コンクリート（ＡＬＣ）製のパネルである。また、開口パネル１９は、サッシと、サッシを軸組に固定するためのフレームとを備えて構成されている。
【００２１】
外壁パネル７，９，１１，１３，１５の表面には、縦方向に沿った直線状の溝が化粧目地２１として形成されている。縦方向とは、外壁パネル７，９，１１，１３，１５を割り付けた際の鉛直方向を意味する。化粧目地２１は、外壁パネル７，９，１１，１３，１５を他の外壁パネル７，９，１１，１３，１５または開口パネル１９に連設した際に生じる目地２０に対応している。具体的には、化粧目地２１の断面形状は、外壁パネル７，９，１１，１３，１５同士、または外壁パネル７，９，１１，１３，１５と開口パネル１９とを連設した際の隙間（連設部）にシーリング材が打設された状態において、連設部に形成される実際の目地２０の断面形状に略等しい形状になっている。
【００２２】
化粧目地２１は、外壁パネル７，９，１１，１３，１５の横方向（縦方向に直交する方向）において所定のピッチＷとなるように一または複数形成されている。化粧目地２１のピッチＷについては、隣り合う化粧目地２１同士の間隔のみならず、外壁パネル７，９，１１，１３，１５の連設端部となる実際の目地２０から、この目地２０に最も近い最初の化粧目地２１までの間隔も含む。
【００２３】
化粧目地２１のピッチＷは外壁５の出寸法Ｄの整数分の１、例えば、１分の１となるように規定されている。なお、化粧目地２１のピッチＷについて、別の見方をすれば、平面モジュールＭの整数分の１、具体的には２分の１に規定されている。
【００２４】
なお、外壁パネル７，９，１１，１３，１５の表面には、等間隔で並んだ複数の横溝２３も形成され、縦の化粧目地２１と横溝２３とによって矩形状（レンガ状）のマス目が形成されている。横溝２３は、図４において破線で示されているが、その他の図面では省略されている。
【００２５】
外壁パネル７，９，１１，１３，１５としては、例えば、長尺外壁パネル、短尺外壁パネル、及びベランダ腰壁用壁パネル１３が規格化されている。また、長尺外壁パネルとしては、基本外壁パネル（一般外壁パネル）７、入隅用外壁パネル９、出隅用外壁パネル１１が規格化されている。
【００２６】
基本外壁パネル７は矩形平板状であり、長手方向が縦になるように設置される。横方向の幅ＷＡは平面モジュールＭの整数倍（式１参照）に規定されており、本実施形態では、平面モジュールＭの１倍、及び２倍となる２種類が準備されている。
【００２７】
ＷＡ＝Ｍ×Ａ              ・・・（式１）
（Ａは１、または２）
【００２８】
２種類の基本外壁パネル７のうち、平面モジュールＭの２倍、具体的には６１０ｍｍの幅を有するパネルは、主として平坦部に割り付けられる一般部用の基本外壁パネル７である。一般部用の基本外壁パネル７では、化粧目地２１、及び横溝２３によって形成されるマス目が、幅方向に４マス分形成されている。また、平面モジュールＭの１倍、具体的には３０５ｍｍの幅を有するパネルは、出隅用外壁パネル１１等に連設される出入隅部用の基本外壁パネル７である。出入隅部用の基本外壁パネル７では、化粧目地２１、及び横溝２３によって形成されるマス目が、幅方向に２マス分形成されている。
【００２９】
なお、外壁５の出寸法Ｄは、平面モジュールＭの整数分の１であるため、基本外壁パネル７の幅ＷＡは結果として出寸法Ｄの整数倍であり、具体的には、出寸法Ｄの２倍、または４倍となる。
【００３０】
入隅用外壁パネル９は矩形平板状であり、入隅部Ｃａにおいて長手方向が縦になるように設置される。入隅用外壁パネル９の横方向の幅Ｗ２は、一般部用の基本外壁パネル７の幅ＷＡに比べて出寸法Ｄだけ詰めた寸法になっている（式２参照）。従って、入隅用外壁パネル９の幅ＷＢは、出寸法Ｄの整数倍であり、具体的には、出寸法Ｄの３倍となる。また、入隅用外壁パネル９は、化粧目地２１、及び横溝２３によって形成されるマス目が、幅方向に３マス分形成されている。
【００３１】
ＷＢ＝Ｍ×Ｂ−Ｄ              ・・・（式２）
（Ｂは２）
【００３２】
出隅用外壁パネル１１は、出隅部Ｃｂにおいて長手方向が縦になるように設置される。出隅用外壁パネル１１は断面Ｌ字状であり、出隅用外壁パネル１１の幅寸法ＷＣは、屈曲して接続された二つの表面の横方向の幅寸法を足した値になる（式３参照）。そして、一方の表面の幅寸法ＷＣ／２は、出寸法Ｄに等しくなる。
【００３３】
ＷＣ＝Ｄ＋Ｄ＝２Ｄ              ・・・（式２）
【００３４】
出隅用外壁パネル１１の化粧目地２１は、角部分に形成されている。出隅用外壁パネル１１の連設部分となる端部、つまり、実際の目地２０となる部分から角部分の化粧目地２１までの距離は外壁５の出寸法Ｄの整数分の１、例えば、１分の１となるように規定されており、その結果として、出隅用外壁パネル１１の化粧目地２１も所定のピッチＷになっている。また、出隅用外壁パネル１１の屈曲する二つの表面のうち、一方の表面において、化粧目地２１、及び横溝２３によって形成されるマス目は幅方向に１マス分形成されている。
【００３５】
短尺外壁パネルとしては、例えば、上下用短尺外壁パネル（短尺パネル）１５、梁部被覆用短尺外壁パネル（図示省略）が規格化されている。
【００３６】
上下用短尺外壁パネル１５は、基本外壁パネル７の縦方向の寸法を詰めた短尺のパネルであり、開口パネル１９の上縁、及び下縁の少なくとも一方に沿って設置される。上下用短尺外壁パネル１５の縦方向の寸法（以下、「高さ寸法」という）は、開口パネル１９の開口部（サッシ）の高さ方向の寸法に応じて複数種類が準備されている。また、上下用短尺外壁パネル１５の横方向の幅は、基本外壁パネル７と同様に二種類が規格化されて準備されている。その他に、入隅部Ｃａ用に出寸法Ｄ分だけ幅を詰めた上下用短尺外壁パネル１５も準備されている。
【００３７】
梁部被覆用短尺外壁パネルは、基本外壁パネル７の縦方向の寸法を詰めた短尺のパネルである。梁部被覆用短尺外壁パネルは、建物（躯体）外周部に沿って基本外壁パネル７や開口パネル１９が割り付けられない部分の梁を被覆するためのパネルであり、例えば、アルコーブやピロティに割り付けられる。
【００３８】
ベランダ腰壁用壁パネル１３は、ベランダの転落防止用腰壁に使用されるパネルであり、規格化された形態のバリエーションとしては、長尺外壁パネル７，９，１１と同種が準備されている。なお、キャンティベランダの場合、ベランダ腰壁用壁パネル１３は、梁部被覆用短尺外壁パネルと組み合わされて使用される。
【００３９】
以上、外壁パネル７，９，１１，１３，１５として規格化された各バリエーションについて説明したが、上記の外壁パネル７，９，１１，１３，１５の幅の寸法は呼び寸法であり、実寸法は製造精度や納まり等を考慮して外観意匠に影響を与えない範囲で若干小さく設定されている。
【００４０】
次に、工業化住宅１の外壁５について説明する。図１、図２、及び図３に示されるように、工業化住宅１では、外通りの通り芯Ｌから外壁面５ａまでの出寸法が所定の値Ｄとなるように規定され、その出寸法Ｄに合うように外壁パネル７，９，１１，１３，１５が構造柱３や構造梁などに割り付けられる。
【００４１】
本実施形態に係る工業化住宅１は、２階建て（複数の階層）であり、１階、および２階の外壁面構造が複数の外壁パネル７，９，１１，１３，１５、及び開口パネル１９の連設によって形成されている。また、１階（下階）の外壁面構造の目地２０、及び化粧目地２１によって形成される目地配置２４Ａと、２階（上階）の外壁面構造の目地２０、及び化粧目地２１によって形成される目地配置２４Ｂとは連続している。なお、１階の目地配置２４Ａと２階の目地配置２４Ｂとが連続するとは、目地２０、及び化粧目地２１の縦のラインがずれなく連続的につながっている状態を意味する。
【００４２】
（平坦部）
次に、外壁５の各部について詳しく説明する。図４に示されるように、外壁５の平坦な壁面部分（平坦部）には、一般部用の基本外壁パネル７が割り付けられる。基本外壁パネル７同士が隣接して接続される隙間（連設部）の表面（外表面）側には、シーリング材が打設されて実際の目地２０が形成される。基本外壁パネル７の化粧目地２１のピッチＷは均一なので、外観意匠上、化粧目地２１の不揃いは生じない。
【００４３】
（出隅部）
図４、及び図５に示されるように、出隅部Ｃｂでは、構造柱３の角に沿うように断面Ｌ字状の出隅用外壁パネル１１が割り付けられ、出隅用外壁パネル１１の両端には、それぞれ出入隅部用の基本外壁パネル７が連設される。出隅用外壁パネル１１と基本外壁パネル７とが隣接して接続される隙間（連設部）の表面（外表面）側には、シーリング材が打設されて実際の目地２０が形成される。出隅用外壁パネル１１の化粧目地２１のピッチＷと、基本外壁パネル７の化粧目地２１のピッチＷとは出寸法Ｄの１／１（整数分の１）であり、互いに等しい。つまり、出隅用外壁パネル１１と基本外壁パネル７とは化粧目地２１のピッチＷが均一に揃って連続することになり、外壁５の外観意匠上、化粧目地２１の不揃いは生じない。
（ベランダ、及び独立柱周り）
【００４４】
図４、及び図６に示されるように、ベランダの周縁には、転落防止用のベランダ腰壁用壁パネル１３が割り付けられる。ベランダ腰壁用壁パネル１３同士が隣接して接続される隙間（連設部）の表面（外表面）側には、シーリング材が打設されて実際の目地２０が形成される。また、ベランダ腰壁用壁パネル１３の化粧目地２１のピッチＷは出寸法Ｄの１／１（整数分の１）で、互いに等しいので外壁５の外観意匠上、化粧目地２１の不揃いは生じない。なお、ベランダの入隅部には、入隅用外壁パネル９が割り付けられている。また、入隅用外壁パネル９には出隅用外壁パネル１１が連設されるが、出隅用外壁パネル１１が勝つように割り付けられている。
【００４５】
ベランダなどに配置された独立柱（構造柱）３には、独立柱３を取り囲むように四枚の出隅用外壁パネル１１が割り付けられる。出隅用外壁パネル１１同士が隣接して接続される隙間（連設部）の表面（外表面）側には、シーリング材が打設されて実際の目地２０が形成される。また、出隅用外壁パネル１１の化粧目地２１のピッチＷは出寸法Ｄの１／１（整数分の１）で、互いに等しいので外壁５の外観意匠上、化粧目地２１の不揃いは生じない。
（入隅部）
【００４６】
図２、及び図７に示されるように、例えば、１階に形成される入隅部Ｃａには、入隅用外壁パネル９と基本外壁パネル７とが割り付けられる。入隅用外壁パネル９は、基本外壁パネル７の表面に端部が当接するように連設される。入隅用外壁パネル９の表面側の端縁は、基本外壁パネル７の化粧目地２１に沿って配置される。入隅用外壁パネル９と基本外壁パネル７との間の隙間（連設部）の表面（外表面）側には、シーリング材が打設されて実際の目地２０が形成される。従って、入隅用外壁パネル９と基本外壁パネル７との間に形成される目地２０は、丁度、基本外壁パネル７の化粧目地２１上に形成されることになり、外壁５の外観意匠上、化粧目地２１の不揃いは生じない。
【００４７】
なお、本実施形態では、化粧目地２１のピッチＷが外壁５の出寸法Ｄに一致しているので、入隅用外壁パネル９と基本外壁パネル７とを入隅部Ｃａに割り付ける際に、左右勝手は発生しない。従って、本実施形態によれば、一種類の入隅用外壁パネル９によって左右のどちら側への割り付けにも対応できる。その結果として、制定（規格化）すべき部材の品種を減らすことができる。
【００４８】
図３、及び図８に示されるように、例えば、２階に形成される入隅部Ｃａには、開口パネル１９と基本外壁パネル７とが割り付けられる。開口パネル１９は、側端部が基本外壁パネル７の表面に当接するように連設される。開口パネル１９の表面側の端縁は、基本外壁パネル７の化粧目地２１に沿って配置される。開口パネル１９と基本外壁パネル７との間の隙間（連設部）の表面（外表面）側には、シーリング材が打設されて実際の目地２０が形成される。従って、開口パネル１９と基本外壁パネル７との間に形成される目地２０は、丁度、基本外壁パネル７の化粧目地２１上に形成されることになり、外壁５の外観意匠上、化粧目地２１の不揃いは生じない。
【００４９】
なお、開口パネル１９の上方及び下方の少なくとも一方には、開口パネル１９の幅に対応し、開口パネル１９の上縁または下縁に沿った上下用短尺外壁パネル１５が割り付けられている（図１参照）。
【００５０】
次に、図９を参照して入隅部Ｃａの第１の変形例について説明する。第１の変形例では、幅寸法の異なる２種類の基本外壁パネル７が入隅部Ｃａに割り付けられている。具体的には、出入隅部用の幅の狭い基本外壁パネル７の端部が、一般部用の幅の広い基本外壁パネル７の表面に当接するように連設される。出入隅部用の基本外壁パネル７の表面側の端縁は、一般部用の基本外壁パネル７の化粧目地２１に沿って配置される。出入隅部用の基本外壁パネル７と一般部用の基本外壁パネル７との間の隙間（連設部）の表面（外表面）側には、シーリング材が打設されて実際の目地２０が形成される。従って、出入隅部用の基本外壁パネル７と一般部用の基本外壁パネル７との間に形成される目地２０は、丁度、一般部用の基本外壁パネル７の化粧目地２１上に形成されることになり、外壁５の外観意匠上、化粧目地２１の不揃いは生じない。
【００５１】
なお、この第１の変形例では、出入隅部用の基本外壁パネル７の端部に連設するように開口パネル１９が割り付けられている。
【００５２】
次に、図１０を参照して入隅部Ｃａの第２の変形例について説明する。第２の変形例では、入隅用外壁パネル９と開口パネル１９とが入隅部Ｃａに割り付けられている。具体的には、開口パネル１９の端部が、入隅用外壁パネル９の表面に当接するように連設される。開口パネル１９の表面側の端縁は、入隅用外壁パネル９の化粧目地２１に沿って配置され、開口パネル１９と入隅用外壁パネル９との間の隙間（連設部）の表面（外表面）側には、シーリング材が打設されて実際の目地２０が形成される。従って、開口パネル１９と入隅用外壁パネル９との間に形成される目地２０は、丁度、入隅用外壁パネル９の化粧目地２１上に形成されることになり、外壁５の外観意匠上、化粧目地２１の不揃いは生じない。
【００５３】
なお、この第２の変形例では、入隅用外壁パネル９の端部に連設するように開口パネル１９が割り付けられている。
【００５４】
次に、図１１を参照して入隅部Ｃａの第３の変形例について説明する。第３の変形例では、第２の変形例と同様に、入隅用外壁パネル９と開口パネル１９とが入隅部Ｃａに割り付けられている。したがって、開口パネル１９と入隅用外壁パネル９との間に形成される目地２０は、丁度、入隅用外壁パネル９の化粧目地２１上に形成されることになり、外壁５の外観意匠上、化粧目地２１の不揃いは生じない。また、第３の変形例では、開口パネル１９の一方の側端部は入隅用外壁パネル９に連設されているが、他方の側端部側には構造柱３が建てられている。さらに、構造柱３の角部に沿って出隅用外壁パネル１１が割り付けられており、開口パネル１９の他方の側端部と出隅用外壁パネル１１とが連設されている。出隅用外壁パネル１１の化粧目地２１のピッチＷは出寸法Ｄに一致するので、外壁５の外観意匠上、化粧目地２１の不揃いは生じない。
（出入口部）
【００５５】
図２に示されるように、本実施形態に係るアルコーブ部（出入口部）には、開き戸が開閉可能に組みつけられたドアパネルが割り付けられる。このドアパネルは入隅部用の開口パネル１９であり、外壁５の出寸法Ｄ分だけ幅を詰めたパネルである。ドアパネルの両端には、入隅部Ｃａを形成すべく一般部用の基本外壁パネル７が連設されている。アルコーブ部の出隅部Ｃｂには、出隅用外壁パネル１１が割り付けられ、その上に梁部被覆用短尺パネルが割り付けられる。
【００５６】
次に、図１２を参照して、出入口部の変形例について説明する。この変形例では、入隅部用の開口パネル１９であるドアパネルが平部、すなわち平坦面に沿うように割り付けられている。この変形例では、入隅部用の開口パネル１９を平部に割り付ける場合にも出隅用外壁パネル１１に連設されることで化粧目地２１のピッチＷが均一に揃って連続するため、化粧目地２１の不揃いは無くなり、外観意匠性に優れた建物とすることができる。
【００５７】
従来の外壁（特許文献１〜３参照）では、化粧目地のピッチと出寸法との相関関係などは規定されていなかったため、出隅部や入隅部において、外壁パネルや開口パネルなどを割り付けた際の化粧目地が不揃いになり易かった。しかしながら、上記の実施形態に係る工業化住宅１では、外壁パネル７，９，１１，１３，１５の化粧目地２１のピッチＷが出寸法Ｄの整数分の１となるように規定されているため、出隅部Ｃｂや入隅部Ｃａにおいて出寸法Ｄに対応させるように外壁パネル７，９，１１，１３，１５を連設した場合にも、化粧目地２１のピッチＷが均一に整い、不揃いが生じ難い。その結果として、本実施形態に係る工業化住宅１によれば、化粧目地２１の不揃いを解消でき、外観意匠性に優れた建物とすることができる。
【００５８】
特に、吹付け塗装によって仕上げられた状態では、目地２０と化粧目地２１の判別は困難となり、１枚の外壁面５ａに同一形状の化粧目地２１が一定の間隔で連続的に配列されたように視認される。その結果として、外壁面５ａの化粧目地２１に不揃いが生じない意匠性に優れた外観が形成される。
【００５９】
また、本実施形態に係る工業化住宅１では、出隅用外壁パネル１１が出隅部Ｃｂに割り付けられると共に、基本外壁パネル７に連設され、出隅用外壁パネル１１と基本外壁パネル７とは化粧目地２１のピッチＷが均一に揃って連続している。つまり、出隅用外壁パネル１１を出隅部Ｃｂに割り付けて基本外壁パネル７に連設した場合にも、出隅用外壁パネル１１と基本外壁パネル７との間で化粧目地２１の不揃いは無くなり、外観意匠性に優れた建物とすることができる。
【００６０】
また、本実施形態に係る工業化住宅１の入隅部Ｃａでは、入隅用外壁パネル９の端部が基本外壁パネル７の表面に当接されると共に、入隅用外壁パネル９の表面側の端縁は、基本外壁パネル７の化粧目地２１に沿って配置されている。つまり、入隅用外壁パネル９と基本外壁パネル７とを連接して入隅部Ｃａを形成する場合にも、入隅用外壁パネル９と基本外壁パネル７との間で化粧目地２１の不揃いは無くなり、外観意匠性に優れた建物とすることができる。
【００６１】
さらに、本実施形態に係る工業化住宅１では、出寸法Ｄの正の整数倍の幅を有する開口パネル１９と、出寸法Ｄの正の整数倍の幅を有し、且つ開口パネル１９の上縁、及び下縁の少なくとも一方に沿って配置される上下用短尺外壁パネル１５（短尺パネル）が規格化されている。つまり、サッシなどを取り付ける場合に用いる開口パネル１９の上縁、及び下縁に沿って配置される上下用短尺外壁パネル１５においても化粧目地２１の不揃いは無くなり、外観意匠性に優れた建物とすることができる。
【００６２】
さらに、本実施形態に係る工業化住宅１は２階建てであり、１階、及び２階の外壁面構造それぞれの目地配置２４Ａ，２４Ｂが上下で連続している。つまり、２階建ての工業化住宅１でありながら、１階（下階）の外壁面構造の目地配置２４Ａと２階（上階）の外壁面構造の目地配置２４Ｂとの間でズレが生じることはなく、従って、外観意匠性に優れた建物とすることができる。
【００６３】
特に、基本外壁パネル７の表面に形成される化粧目地２１のピッチＷを出寸法Ｄの整数分の１となるように規定しているので、例え、１階の入隅部Ｃａでは基本外壁パネル７を入隅部Ｃａ側に寄せて配置し、２階の入隅部Ｃａでは基本外壁パネル７を反対側に寄せて配置するようにしても上下階で化粧目地２１のピッチＷがズレてしまうことはなく、外観意匠性に優れた建物とすることができる。
【符号の説明】
【００６４】
１…規格化建物、５…外壁、５ａ…外壁面、７…基本外壁パネル（一般外壁パネル）、９…入隅用外壁パネル、１１…出隅用外壁パネル、１３…ベランダ腰壁用壁パネル、１５…上下用短尺外壁パネル（短尺パネル）、１９…開口パネル、２０…実際の目地、２１…化粧目地、Ｃｂ…出隅部、Ｃａ…入隅部、Ｌ…通り芯、Ｄ…通り芯から外壁面までの出寸法、Ｗ…化粧目地のピッチ。
【図１】
2012225016.tif 000003
【図２】
2012225016.tif 000004
【図３】
2012225016.tif 000005
【図４】
2012225016.tif 000006
【図５】
2012225016.tif 000007
【図６】
2012225016.tif 000008
【図７】
2012225016.tif 000009
【図８】
2012225016.tif 000010
【図９】
2012225016.tif 000011
【図１０】
2012225016.tif 000012
【図１１】
2012225016.tif 000013
【図１２】
2012225016.tif 000014